(57)【要約】【課題】頭部の毛髪の横断面の面積を正確に測定する。【解決手段】顔の所定の位置から頭部の別の位置まで、可撓性測定テープが延びている。この位置のまわりの２ｃｍ×２ｃｍ平方の毛髪（９５）の束を隔離する。隔離された毛髪の束を、測定装置（１００）内の部品内のスリット（１１０）に捕捉する。この部分は、測定装置の本体の第１端部から延びるプランジャー（１３４）の内側端部の一部に設置されるか、またはこの部分を形成する。測定装置の本体内にプランジャーが引き寄せられ、プランジャーの内側端部が、本体の第１端部に押されるにつれ、毛髪は、スリット内に圧縮される。装置の本体の第２端部とプランジャーの外側端部にあるノブ（１４６）の内側端部との間で、プランジャーにスプリング（１４８）が設けられている。このスプリングは、毛髪の束のサイズにかかわらず、同じ負荷を加え、プランジャーの内側端部を本体に向けて押圧し、毛髪の束を圧縮する。測定装置に関連したゲージ（１５２）から、圧縮された毛髪の値としてＤＤＩ、すなわち、密度−直径インデックスが示され、このインデックスは、毛髪の圧縮された束の断面の面積を示す。【選択図】図７
2007532263.tif 000002
【特許請求の範囲】
【請求項１】
毛髪を支持する皮膚の所定領域を隔離し、この領域内のカットされていない毛髪の組み合わされた断面を測定する方法において、
あらかじめ測定されたサイトを定めるステップと、
このサイトからカットされていない毛髪の束、すなわち、コラムを隔離するステップと、
毛髪を収容するスロットを測定装置に設けるステップと、
カットされていない毛髪の束、すなわち、コラムを前記スロット内に入れるステップと、
スロット内に収容されているアンビルに対して、手で圧縮力を加えることなく、機械的な組立体を用いて、スロットの底部を移動させ、スロット内に入れられたカットされていない毛髪のサイズ可変の束に、所定の正確な値の圧縮力を加えるステップと、
スロット内に収容された、カットされていない毛髪の圧縮された束、すなわち、コラムの太さまたは質量を測定するステップと、
測定された毛髪の太さまたは質量と、頭部上の同一または異なる位置からのカットされていない毛髪の束、すなわち、コラムの他の毛髪の太さまたは質量の測定値とを比較するステップとを有する方法。
【請求項２】
前記頭部上のあらかじめ測定されたサイトは、約２ｃｍ×２ｃｍ平方である、請求項１記載の方法。
【請求項３】
前記スリットは、１ｍｍの幅×約７ｍｍ〜１２ｍｍの高さである、請求項１記載の方法。
【請求項４】
カートリッジの大きい方の部品内のスロット内に、カートリッジの小さい方の部品を進入させることにより、２部品式カートリッジの各部品内の一致するスリット内に、カットされていない毛髪の前記束を捕捉し、前記大きい方の部品内のスリットが前記スロットを横断し、前記スリット内のカットされていない毛髪の束を圧縮することにより、スリット内の毛髪の圧縮された束の太さ、およびミリ平方を単位とする毛髪の横断面の面積に等しい数字である、カットされていない毛髪の直径−密度インデックス（ＤＤＩ）と称される０〜５ｍｍの数値となるように、１ｍｍの幅を各スリットが有する、請求項１記載の方法。
【請求項５】
スリット内の毛髪の太さの測定を行った後、カートリッジの大きい方の部品から、小さい方の部品を短い距離だけ引出し、髪をカートリッジから容易に引くことができるようにし、次に、カートリッジを廃棄できるようにする、請求項４記載の方法。
【請求項６】
顔上の所定ポイントから、頭部の位置までの距離を測定することにより、前記あらかじめ測定したサイトを定める前記ステップを実行する、請求項１記載の方法。
【請求項７】
頭部から隔離された毛髪の束を測定するのに使用するための２部品式カートリッジであって、該カートリッジが頂部および底部、並びに４つの側面を結うし、１つの側面から第１部品内に進入する、断面が長方形のスロットを備えた、全体として四角形をした第１の大きい方の部品を備え、前記第１部品は、前記スロットを横断し、第１部分の頂部および底部を貫通し、第１部分の１つの側面から内側に延びる横方向第１スリットを有し、前記カートリッジは、更に第１部品内のスロットの断面と同じ形状およびサイズを有し、前記スロット内に嵌合するようになっている、全体として長方形の断面を有する第２の、より小さい四角形の部品を備え、前記第２部品は、内側端部および外側端部を有し、前記内側端部から第２部品を横方向に貫通する第２スリットを備え、この第２スリットは、前記第１スリットとほぼ同じ幅を有し、第１部品を前記第１部品内のスロットに挿入すると、前記第１部品内の第１スリットに嵌合するようになっている、２部品式カートリッジ。
【請求項８】
前記スリットは、１ｍｍの幅を有する、請求項７記載のカートリッジ。
【請求項９】
前記スリットは、約７ｍｍ〜１２ｍｍの長さを有する、請求項８記載のカートリッジ。
【請求項１０】
前記小さい方の第２部品の細長い側面、および前記第１部品内の前記スロットの壁は、前記第２部品を前記第１部品から部分的に引き出したときに、係合する協動可能なディテントおよびリセス構造体を有する、請求項７記載のカートリッジ。
【請求項１１】
前記第１部品は、この第１部品の他の３つの側面にサイドスロットを有し、このサイドスロットは、Ｌ字形アームを囲み、これを保護するための測定装置のＬ字形アームを収容するような構造および配置となっている、請求項７記載のカートリッジ。
【請求項１２】
頭部上の所定位置から隔離された毛髪の束の質量を測定するための装置であって、この装置は、第１端部および第２端部を有する本体と、前記本体の前記第１端部から延びるＬ字形端部を有し、前記第２端部から延びる外側部分を有すると共に、外側端部にノブを有し、前記本体の第１端部から延びるＬ字形端部を有するプランジャーと、前記プランジャーの外側部分の上において、前記ノブと前記本体との間に設けられたスプリングと、前記本体の第１端部に向かう前記Ｌ字形アームの運動を測定するための前記本体に設けられたゲージと、前記Ｌ字形アームが延びるときに、前記Ｌ字形アームに取り付けられるようになっており、長さを変えることができるスリットを内部に有する構造体とを備え、前記構造体は、前記長さを変えることができるスリット内に、毛髪の束を集めるように操作され、前記ノブは前記構造体を取り付けるように、前記Ｌ字形アームを延ばすように押され、次に、前記本体の前記第２端部と前記ノブとの間で作用する前記スプリングにより、前記Ｌ字形アームが前記構造体を前記本体の前記第１端部に向けて押し、よって、毛髪の束を、前記長さを変えることができるスリット内に圧縮するように前記ノブが解放され、前記長さを変えることができるスリット内の毛髪の束の太さを、前記本体上の前記ゲージにより測定する装置。
【請求項１３】
前記構造体は、２部品式カートリッジを備え、このカートリッジは、側面にスロットを有する第１の全体として長方形の、より大きい部品と、全体スロットに嵌合される第２の全体に長方形の、より小さい部品とを備え、前記第１部品は、前記スロットを貫通し、横断する第１スリットを有し、前記第２部品は、貫通する第２スリットを有すると共に、前記スロットに前記第２部品を挿入すると、前記第１部品内の前記第１スリットと嵌合するようになっており、前記第１および第２スリットは、前記長さを変えることができるスリットを形成かつ画定し、前記スプリングに対して前記ノブを押すことにより、前記本体からＬ字形アームが延びた後、Ｌ字形アームに前記第１部品を取り付け、前記第１部品および前記第２部品は、前記第２部品が前記第１部品に進入したときに、前記第１スリットおよび第２スリット内に進入する毛髪の束のまわりに位置決されるようになっている、請求項１２記載の装置。
【請求項１４】
毛髪を支持する皮膚のある領域を隔離し、この領域内のカットされていない毛髪の組み合わされた断面を測定する方法において、
頭部上にあらかじめ測定したサイトを定めるステップと、
前記サイトにある、カットされていない毛髪の標準化された束を隔離するステップと、
前記サイトの周辺に前記毛髪拘束要素を位置決めするステップと、
機械式組立体により、カットされていない毛髪の束の太さを測定しながら、同時に所定の精密な値の圧縮力により、カットされていない毛髪の束を圧縮するステップとを有する方法。
【請求項１５】
毛髪を支持する皮膚の、あらかじめ測定した領域からのカットされていない毛髪の束の断面の面積を測定するのに使用するための装置であって、
本体と、この本体を貫通し、前記本体の一端から出るプランジャーと、前記本体の一端において、アンビルを構成する壁表面と、前記プランジャーに所定の値の圧力を加えるための、前記本体に関連した圧縮スプリングとを備え、前記プランジャーは、前記壁表面を貫通すると共に、前記壁表面を貫通する主要脚部部分およびフック脚部によって構成されたＪ字形端部を有し、前記２つの脚部は、両者の間に毛髪を収容するスロットを構成し、前記スロット内に収容された毛髪は、前記スロットの底部と前記アンビルとの間に圧縮されるようになっており、更に、毛髪の束を圧縮したときに、前記プランジャーの移動の大きさを測定するよう、前記本体および前記プランジャーに連動する測定手段を備える装置。
【請求項１６】
前記測定手段は、前記プランジャーの前記Ｊ字形端部が前記スロット内のカットされていない毛髪の束と共に前記アンビルに向かって移動するときに、前記スロット内の圧縮されたカットされていない毛髪の太さを示すための視覚的なディスプレイを備える、一体的または別個の電子ノギスを含む、請求項１５記載の装置。
【請求項１７】
前記測定手段は、前記プランジャーのＪ字形端部が、前記スロット内のカットされていない毛髪の束と共に前記アンビルに向かって移動するときの、前記スロット内の圧縮された毛髪の太さを示すためのスケール、ゲージまたはアナログディスプレイを含む、請求項１５記載の装置。
【請求項１８】
毛髪を支持する皮膚の、あらかじめ測定した領域からのカットされていない毛髪の束の断面の面積を測定するのに使用するための装置であって、
カットされていない毛髪の束を収容するためのスロットと、前記アンビルと前記スロットとが相対的に移動するときに、前記スロット内に嵌合されるようになっている前記スロットに隣接するアンビルと、所定の正確な値の圧縮力でカットされていない毛髪の束を圧縮するための、前記スロットまたはアンビルのうちの１つと連動する機械式組立体とを備え、前記機械式組立体は、前記スロット内に入れられたカットされていない毛髪のサイズを変えることができる束に、所定の正確な値の圧縮力と等しい値を加えるように、機械的に制限されている装置。
【請求項１９】
前記スロット内にカットされていない毛髪の束が収容され、前記スロット内で圧縮されるときの、前記スロットとアンビルとの間の移動量を測定または示すための、別個または一体的な装置を含む、請求項１８記載の装置。
【請求項２０】
前記機構は、前記スロット内に入れられたカットされていない毛髪の束に、所定の値の圧縮力を加えるための、前記本体またはアンビルのうちの１つに連動するスプリングを有する、請求項１８記載の装置。
【請求項２１】
前記スロットは、１ｍｍの幅を有する、請求項１８記載の装置。
【請求項２２】
毛髪を支持する皮膚の所定領域を隔離し、この領域内のカットされていない毛髪の組み合わされた断面を測定する方法において、
あらかじめ測定されたサイトを定めるステップと、
このサイトからカットされていない毛髪の束、すなわち、コラムを隔離するステップと、
隔離されていない毛髪を固定するよう、毛髪拘束要素をサイトに隣接するように、周辺に位置決めするステップと、
毛髪を収容するスロットを測定装置に設けるステップと、
カットされていない毛髪の束、すなわち、コラムを前記スロット内に入れるステップと、
装置のアンビルに対して、スロットの底部を移動し、スロット内に入れられたカットされていない毛髪のサイズ可変の束に、所定の正確な値の圧縮力を加えるステップと、
スロット内に収容された、カットされていない毛髪の圧縮された束、すなわち、コラムの太さ、または質量を測定するステップと、
測定された毛髪の太さまたは質量と、頭部上の同一または異なる位置からのカットされていない毛髪の束、すなわち、コラムの他の毛髪測定値の太さまたは質量とを比較するステップとを有する方法。
【請求項２３】
前記毛髪を拘束する要素は、較正された接着要素であり、この要素を、隔離されていない毛髪に当接させる、請求項２２記載の方法。
【発明の詳細な説明】
【技術分野】
【０００１】
本発明は、医学的な脱毛症の臨床治療コースおよび育毛治療の有効性をドキュメント化するか、または禿頭症の深刻さ、または毛髪密度、または毛髪の太さの増減によって証明される育毛治療の効能を間接的に計算するために、毛髪の束の断面の面積の変動を測定するための方法、装置、および２部品式カートリッジに関する。
【背景技術】
【０００２】
カバコフ氏外を発明者とする米国特許第4,665,741号には、毛髪ダメージを測定するために使用される毛髪ボリューム測定装置が開示されている。
【０００３】
米国皮膚科学アカデミージャーナルの論文「パターン状毛髪喪失症における育毛促進剤の効能を評価するための、現在の方法および新規な方法」、２００３年；４８：２５３〜６３に記載の毛髪測定方法も参照されたい。
【０００４】
脱毛とは、正常なサイズの直径の毛髪が失われることを特徴とする１つの状態のことである。この状態は、毛髪喪失の２つの主要なカテゴリーのうちの１つである。脱毛は、頭部にわたって拡散的に分布し、いくつかの医学的な異常性および毒性の兆候である。
【０００５】
脱毛は、高熱、避妊ピルの服用の中止、または出産の後に生理学に生じることがある。脱毛は、かつて毛髪が存在していた、頭部の皮膚の外観を特徴とする。脱毛は、頭部の１平方センチの面積あたりに存在する毛髪の密度を測定することによって定量化できる。毛髪密度は、通常（５ｍｍ×５ｍｍの面積における約２ｍｍの長さの）頭部の毛髪を密にカットし、次に、頭部に残ったカットされた毛髪を数え、この数に４を乗算することによって測定される。
【０００６】
脱毛が存在しない、正常な個人の毛髪密度は、頭部の１平方ｃｍあたり、１２０〜２００本の範囲である。
【０００７】
毛髪が薄くなることは、個々の頭部の毛髪が徐々に少くなることを特徴とする１つの状態である。このことは、毛髪が失われる第２の主なカテゴリーであり、一般的なことである。
【０００８】
毛髪が失われるということは、毛髪の直径（太さ）が小さく（細く）なる結果であり、このことによって、毛髪は最終的になくなる。脱毛と同じように毛髪が細くなることも、毛髪がかつて存在していた頭部の皮膚の外観を特徴とする。
【０００９】
毛髪が細くなることは、男性の推定される７５％、女性の１０％に影響を与えている。脱毛と異なり、この現象は、頭部の表面全体にわたって分布が広がることはなく、ほとんど常に、頭部の頂部で毛髪が失われるようなパターンとして現れる。
【００１０】
毛髪が細くなると、特徴的なことに、後頭部下方および側面を残し（図１９に示されるようにゾーン１０を参照されたい）、よく知られている馬蹄形状のフリンジを形成し、このフリンジは、脱毛が最も進んだケースの場合でも残る。
【００１１】
毛髪が細くなることは、健康な人でも生じ、禿頭症、パターン禿頭症、男性型、または女性型の脱毛症、男性ホルモン性脱毛症、男性型または女性型禿頭症と称される。男性の７０％で、通常生じるものと見なされている。健康な女性でも、このことは生じるが、少数のグループの女性では、内分泌の異常を示すことがある。
【００１２】
早期のパターン禿頭症は、認識し、かつ定量化することが困難である。脱毛に対して、簡単に密度を測定しても、値がほとんど得られない。その理由は、正常なサイズの毛髪と、細くなった毛髪の双方が混在しているからである。
【００１３】
密度のカウントを実行するとき、正常な毛髪と、細くなった毛髪の各々を、１本ずつ数えることになる。従って、かなり細くなった毛髪を検出し、定量化するために、実際の毛髪の質量（頭部の予め決定した領域からの毛髪の集団横断面）を測定しなければならない。このことにより、毛髪の密度、および混在する直径の分布が示される。
【００１４】
パターンを定量化し、毛髪喪失の考えを広げるために、科学者は、従来、一般的に次の３つの方法を使用している。
１．毛髪密度のカウント、またはターゲットエリアの毛髪密度のカウント
２．印象的な写真撮影
３．毛髪の重量
を測定することである。
【００１５】
頭部の所定の領域内の集団的断面を測定することによる失われた毛髪の定量化は、科学的文献にもレポートされていないし、従来の米国特許にも開示されていない。
【００１６】
次に、一般的に使用される２つの方法について詳述する。
密度のカウントまたはターゲットエリアの毛髪のカウント：
頭部のある領域内の密にカットした毛髪の密度と、１平方センチあたり１５０〜２５０本の毛髪となっている公知の正常な範囲の値とを比較する。育毛製品が有効であるかどうかを判断するために、治療前、および治療後の評価を実行する。一人の個人の密度の喪失パーセントを決定するために、頭部の頂部の密度（失われた面積）と後頭部下方、および促頭部での密度（正常で、かつ永久的な毛髪ゾーン）とを比較することができる。永久ゾーンにおける毛髪カウントで、毛髪喪失領域における毛髪カウントを除算することによって、毛髪喪失パーセントを計算する。
【発明の開示】
【発明が解決しようとする課題】
【００１７】
この方法は、毛髪が細くなる状態では、全く正確ではない。この方法は、毛髪の本数だけを測定しており、直径の変動を考慮していないからである。またこの方法は、臨床的な写真撮影よりも若干精密であるので、簡単なオフィスの設備で使用される。
【００１８】
この方法は、毛髪を密にカットし、手に持ったレンズ、またはビデオ顕微鏡によって、頭部を直接検査しなければならない。この領域のマクロ撮影を行い、拡大し、次に所定の直径（通常４０ミクロン）を越える毛髪だけをカウントすれば、より高いレベルの精度とすることができる。
【００１９】
臨床的写真撮影：
患者の毛髪喪失領域と、永久ゾーンを比較する写真撮影を行う。この方法は、患者の毛髪喪失ゾーンと毛髪が喪失していない患者の同じゾーンの画像との比較も行うことができるし、また、患者の毛髪が失われたゾーンと同じ患者の以前の、またはその後の毛髪喪失状態の画像とを比較することもできる。
【００２０】
育毛製品が有効であるかどうかを判断するために、治療前と治療後の評価を実行する。このように、視覚的な観察だけで、毛髪の成長または毛髪の喪失を大まかに定量化する。毛髪の喪失が、毛髪が細くなった結果であるか、または脱毛の結果であるかの見解は得られない。
【００２１】
写真撮影は、精密ではなく、種々の髪形、および毛髪の長さによって不明瞭となる。しかし、この方法は、短時間で行うことができ、特別な訓練を必要とせず、容易にドキュメント化することができるので、最も一般的な形態の毛髪喪失のドキュメントとなっている。この方法は、任意の種類の比較可能なデータを得るのに、毛髪を均一な長さにカットすること、標準的な撮影用の照明、および被験者の注意の必要な位置決めを必要とする。
【００２２】
毛髪の重量：
禿げ領域において、狭い領域（通常５ｍｍ×５ｍｍ）の毛髪を剃る。３０日後に、患者の新しく成長した毛髪をカットし、重量を測定する。育毛製品が有効であるかどうかを判断するために、治療前後の評価を行う。パターン状に毛髪が喪失する場合、永久ゾーン（後頭下部および側面の馬蹄形状ゾーン）において、上記測定を実行し、同じ患者の細くなったゾーンの値と比較する。
【００２３】
細くなった領域における毛髪重量を、永久ゾーンにおける毛髪重量で除算することにより、毛髪喪失パーセントを計算できる。毛髪の重量の測定は、毛髪の喪失量を測定する極めて精密な方法である。その理由は、計算時に、毛髪の本数と毛髪の直径、および長さの双方を検討しているからである。
【００２４】
この方法の欠点は、サンプルのサイズが、頭部表面の比較的小さいサンプルしか示していないが、毛髪の長さも測定しているので、考えられるほど有意とはならない。
【００２５】
更に、この方法は、極めて手間のかかるプロセスからなり、厳密な湿度管理を必要とし、臨床的な設備で実行することは非実用的である。また、毛髪のカットも必要である。
【００２６】
この方法は、育毛調製剤、例えばフィナステライド、デュタステライドおよびミノキシジルの有効性を決定するために、主に商業的な研究室で使用される方法である。
【課題を解決するための手段】
【００２７】
本発明によれば、医学的な毛髪喪失症、または毛髪喪失治療の有効性、または進行の評価および臨床治療コースに関係するような、毛髪の一部の断面の面積の変動を測定するための方法および装置が提供される。
【００２８】
この方法および装置は、予め測定された領域内の毛髪の累加的断面を測定するのに使用される。この方法および装置は、毛髪重量測定方法、および毛髪カウント方法よりも頭部表面のより大きいサンプルを使用するものであり、毛髪をカットしなくてよい。個々のヘアスタイルは、広範に変化しているので、毛髪評価は不可能となり、臨床的な対応性がないので、毛髪の長さは、評価におけるファクターとは見なされない。
【００２９】
本発明の方法は、研究室でない設備で容易に実行でき、新しいハンドヘルドの装置を使用するものである。この方法および装置により、医者および専門理髪師が、頭部の毛髪が細くなること、または脱毛に悩む患者の状態を、毛髪の評価および治療中の任意の時間にトラッキングし、ドキュメント化することができる。
【００３０】
この方法および装置は、育毛調製剤、および医薬の有効性を軽量的に評価し、その他の医学的な毛髪喪失症の深刻さ、および治療コースを定量化するのに使用できる。この方法および装置は、毛髪の直径の早期の減少、すなわち、それが明らかとなる何十年も前の、禿頭症の予測的特徴を検出すのに使用できる。
【００３１】
本発明の方法を実施するのにあたり、いくつかの手段により、毛髪を支持する皮膚、すなわち、頭部の所定の領域を隔離する。一般に、櫛または櫛要素を使って、一般に２×２ｃｍの頭部の毛髪を手で分け、１ｃｍスケールでプリントされた２．５４×７．６３ｃｍの接着ペーパーを使って、毛髪を所定位置に固定する。これらのペーパーは、２×２ｃｍの正方形の構造に整合され、重ねられる。
【００３２】
これとは異なり、面積の周辺の境界を定めるする任意の装置を用い、例えば定規、および洗い流し可能なインク、マーカーペン、マーカーテンプレートを用いるか、または長さが２ｃｍの簡単な櫛状装置を用いて、２×２ｃｍの領域を隔離してもよい。これらの装置は、髪を束状にすると同時に、領域の周辺の境界を定める。
【００３３】
一実施例では、本発明の２部品式（一方の部品は長さを変えることができる１ｍｍ幅のスリットのまわりで、他の部品内でスライド可能である）カートリッジ内のスリットに毛髪の束が捕捉される。
【００３４】
次に、捕捉された毛髪の束は、本発明の測定機構または装置の本体の第１端部から延びるプランジャーのＬまたはＪ型端部内に入れられる。プランジャーを本発明の装置の本体内に挿入し、本体のＬ字形またはＪ字形端部と第１端部との間に、カートリッジの２つの部品を押しながら、スリット内の毛髪を圧縮する。
【００３５】
装置の本体の第２端部とプランジャーの外側端部にあるノブの内側端部との間において、プランジャー上にスプリングが設けられている。このスプリングは、Ｌ字形またはＪ字形端部を本体に向けて押圧し、髪の束を圧縮する。
【００３６】
装置の本体上のゲージから、圧縮された毛髪の量を読み取ることができる。Ｌ字型の端部は、カートリッジにより覆われており、衛生上の理由のために、周辺の毛髪からＬ字形端部を隔離している。この測定値は、ＤＤＩ、すなわち密度−直径インデックスと称され、束内のすべての毛髪の累加的密度および直径を示す。
【００３７】
ＤＤＩの正常な範囲は、３.００〜４.００ｍｍであり、細い毛髪に対しては３.０ｍｍ未満である。測定を行った後、カートリッジの大きい方の部品から、小さい方の部品を引き抜くと、毛髪の束から、カートリッジを容易に引出し、カートリッジを廃棄することができる。
【００３８】
別の実施例では、毛髪の束を軽量のスプリング力がかけられたフック状（Ｊ字形状）のアームにより引っかけ、毛髪の束を本発明の装置の本体内に引き入れる。
【００３９】
この装置は、ボスを貫通し、毛髪支持スロットを有するＪ字形端部を備えた毛髪捕捉要素を含む。またこの装置は、スロットに隣接するボスの端面にアンビルを有し、Ｊ字形端部とアンビルとの相対的運動によって、スロット内に収納された毛髪を圧縮するようになっている。装置内には、ボスに当接する大きい圧縮スプリングが設けられている。
【００４０】
上記とは異なり、装置は、静止したスロット内に進入するアンビルを有していてもよい。
【００４１】
スロット内に髪の束を捕捉し、ボス上のアンビルに対して自動的に固定する。スロットは、１ｍｍ幅であり、好ましくは７〜１２ｍｍ高さであり、アンビルとスロットとの相対的運動によって、毛髪の太さを測定する。
【００４２】
大きい圧縮スプリングを係合することにより、捕捉された毛髪のコラムにかかる負荷を正確に維持し、繰り返される測定において、一定に維持する。毛髪の束は、かなり圧縮性があるので、このことは重要である。
【００４３】
アンビルとスロットとの間の相対運動を生じさせる一体的なマイクロメータのヘッドのＬＥＤウィンドーには、毛髪のコラムの太さがディスプレイされる。装置の構造内に機械的な高さ測定ゲージを組み込む場合、この対はアナログ目盛りの面にディスプレイされる。
【００４４】
装置に電子的な高さ（太さ）測定ゲージが組み込まれる場合、この太さは、ＬＥＤウィンドーにディスプレイされる。毛髪を収容するスロット内に捕捉されている毛髪の太さは、任意の値で表すことができる。
【００４５】
この値は、密度−直径インデックス、毛髪質量、毛髪質量インデックス、横断面インデックス、累積的横断面インデックスまたは組み合わせ断面インデックスとも称される。
【００４６】
この方法は、髪が細くなった領域、また、後頭部および側頭部における永久的な髪成長フリンジでも行われる。細くなった領域のインデックス値を、永久的な領域のインデックス値で乗算する。こうして、薄くなった領域における毛髪質量の喪失パーセントを誘導する。
【００４７】
本発明の方法および装置は、次のような理由から、医療上の重要性を有することが分かると思う。髪が失われたと、通常の観察者に明らかとなる前に、毛髪が細くなっている個人は、頭部の領域内の毛髪質量の半分を失っているはずである、ということが医療上の公知の事実である。
【００４８】
このことは、１平方ｃｍあたり、２００本の髪を有するかつらと、１平方ｃｍあたり１００本の髪を有するかつらを、通常の観察者が見分けることができないということによっても実証できる。
【００４９】
しかし、このような見解は、次のように言い換えることができる。個人が、自分の髪が失われたと実感するときには、その個人は、既に自分の毛髪の半分を失っている。本発明の装置は、頭部の禿げる前の正常に見える領域における毛髪質量を、理髪師および医者が測定し、これら値と、永久ゾーン内の毛髪質量値を比較できるようにするものである。従って、この装置は、毛髪の直径の最も初期の変化、すなわち、禿げの予測的ホールマークを検出する。
【００５０】
このように、患者または医者に髪の減少が、視覚的に明らかとなる何年も前に、髪の減少があるかどうかを検出できる。患者には、早期の髪の減少が警告され、髪の減少が大幅に進む前に、治療をスタートできるという利点を享受できる。
【００５１】
本方法および装置は、治療を受けていない禿頭症の個人の進行する髪の減少を追跡し、定量化し、または育毛用の医薬、および装置に対する毛髪の治療上の応答を追跡し、定量化するのにも使用できる。
【発明を実施するための最良の形態】
【００５２】
次に図１を参照する。図１には、櫛、すなわち、櫛要素１４によって櫛がけした、頭部１２から伸びた毛髪１０の束、または部分が示されている。この毛髪の束１０は、カットされることなく、粘着ラベル１６により、頭部の所定領域１２から延びるように示されている。
【００５３】
図２〜図４に示すように、頭部の輪郭が示された領域は、粘着ラベル１８、２０および２２によって、逐次固定される。各粘着ラベルは、センチメートルのスケールのプリントされた面を有するので、粘着ラベル１６、１８、２０および２２により、所定の領域、例えば２平方ｃｍの領域を測定し、これらラベルにより、頭部上の毛髪の残りの部分から隔離できるようになっている。
【００５４】
粘着ラベル１６、１８、２０および２２には、２ｃｍ離れた間隔で、スケールラインがプリントされている。先行するラベルのエッジには、カラーコードのついたラインが整合しており、このラインは、２平方ｃｍのカットされていない毛髪の隔離されたフィールドを形成するように、４段階で逐次重ねられる。
【００５５】
毛髪を支持している頭部皮膚の指定された正方形部分から離れるように、毛髪に櫛がけすることにより、２×２ｃｍの頭部毛髪を、マニュアルで分離する。この分離は、上記のように、逐次段階的に行う。櫛要素１４で、１回櫛がけした後、毛髪の直線ラインが９０度に維持されるように注意を払う。
【００５６】
図５には、櫛要素１４が示されている。要素は、櫛歯２８を有する、例えば２ｃｍの長さの所定の櫛歯領域２６と、上方向に傾斜し、把手３０まで延びる頂部エッジ２９を有する。
【００５７】
図６に示すように、毛髪を支持する皮膚、すなわち、頭部の２平方ｃｍの領域から伸びている毛髪の束１０の質量を測定するための装置３２が設けられている。この装置は、この部分の毛髪の質量と、頭部上の永久（正常な）ゾーンにおける１平方ｃｍあたりの毛髪の質量とを比較する。
【００５８】
この装置３２は、電子的なディスプレイ３８、および毛髪の束１０内の毛髪の太さまたは質量を表示するためのスケール、ゲージまたはアナログディスプレイ４０を備える本体３６を有する電子ノギス３４である。
【００５９】
この装置３２は、本体３６を貫通するピストン、すなわち、プランジャー４２を備え、このプランジャー４２の外側端部４６に位置するノブ４４の内側にカラー４３を有する。カラー４３には、軽量のリターンスプリング４８（図７）が当接し、本体３６の上端部４９から離間するように、ノブ４４を押圧し、プランジャー４２を上方向に押している。
【００６０】
図示のように、スプリング４８と本体３６の上端部４９との間に、カラー５０が設けられている。このカラーは、小径部分５１を有し、この小径部分５１は、本体３６内に進入している。
【００６１】
スケール、ゲージ、またはアナログディスプレイ４０は、プランジャー４２と共に移動する。当然ながら、ディスプレイ３８には、プランジャーの移動量も示される。
【００６２】
プランジャー４２の他端部５２は、主要脚部５３とフック脚部５４によって、Ｊ字形に構成されており、これら脚部の間に、スロット５６が形成されている。このスロット５６は、１ｍｍ幅および１２ｍｍ高とすることができる。
【００６３】
主要脚部５２は、本体３６の下端部６１において、ボス６０内のボア５８（図９）を貫通している。
【００６４】
図１１に示すように、カラー５０の小径部分５１の下端部６３には、本体３６内に設けられた大きい圧縮スプリング６２が当接している。
【００６５】
ボア６０とＪ形状端部５２とが相対運動する際に、スロット５６内で、ボア５８とボス６０の外側表面６３との間のボス６０の壁６４が、スライドできるように嵌合されている。
【００６６】
スロット５６内に毛髪の束１０を入れ、プランジャー４２上でノブ４４のネジを回すと、ノブはカラー５０の小径部分５１を本体３６内に進入させ、プランジャー４２に作用する大きいスプリング６２のバネ定数によって決まる圧縮力で、スロット５６の底部６６と、壁５４（図９）の端部表面６８との間の毛髪の束１０を圧縮する。
【００６７】
端部表面６８は、アンビル６８を構成しており、このアンビルに対して、毛髪の束１０が圧縮される。このように、装置３２は、毛髪保持スロット５６と、スプリングが搭載されたプランジャー４２のＪ字形端部と、アンビル６８とを備える測定装置を構成している。
【００６８】
スロット６６内に、毛髪の束、すなわち、コラム１０を入れ、アンビル６８に対して圧縮し、毛髪のコラムまたは束１０の太さを測定する。アンビル６８とプランジャーは、捕捉された毛髪のコラム、または束１０に対して常に同じ圧力を加えるようになっている（このことは、カラー５１の小径部分に当接する大きい圧縮スプリング６２によって達成される）。
【００６９】
毛髪の束１０は、極めて圧縮可能であるので、このことは、重要なことである。電子ディスプレイ３８上のウィンドーまたはスケールゲージ、またはアナログディスプレイ４０において、毛髪の束、またはコラム１０の太さ（ｍｍ）を読み取ることができる。この任意の値を、毛髪喪失インデックスまたは密度−直径インデックスと呼ぶことにする。
【００７０】
この方法は、禿げ領域および永久領域でも実行される。禿げ領域に対する値を、永久領域に対する値で除算する。禿げ領域における毛髪質量の喪失パーセントが、こうして誘導される。育毛製品の効能を決定するのに使用するとき、同じ領域において、治療の前後の評価を実行し、比較する。
【００７１】
奇妙なことに、パターン禿頭症（男性ホルモン性脱毛症）では、後頭部および側頭部は、医者が縮小と呼ぶ毛髪が薄くなるプロセスを受けにくい。従って、禿げつつある頭では、永久的な馬蹄形のフリンジは、正常な太さの毛髪（７０ミクロン）で密集しており、正常な密度は、１平方ｃｍあたり、１５０〜２５０本の範囲である。
【００７２】
頭頂部における、毛髪が喪失する領域では、毛髪群は、直径が７０ミクロン〜１５ミクロンの範囲であり、１平方ｃｍあたり、種々の範囲の毛髪径が存在する。
【００７３】
頭部の１平方ｃｍあたりの毛髪の累積数に、それらの累加直径を乗算した値は、毛髪質量として記述し得る値と等しい。禿げゾーンの毛髪質量値を、正常な永久的フリンジ（ゾーン１０）の毛髪質量値で除算すると、禿げ領域における毛髪質量の喪失パーセントが誘導される。喪失領域における毛髪質量値と、将来におけるある時期での同じ領域のその後の測定値とを比較すると、毛髪の喪失パーセント、または成長パーセントを誘導できる。
【００７４】
この情報は、毛髪が喪失している患者を治療する者、および育毛促進剤または装置を開発している者にとって、極めて重要なものである。毛髪の長さは、毛髪の見ることのできる全質量の一因となるが、この長さは、髪のカット長さ（スタイル）と共に変化するので、毛髪の長さは考慮せず、本特許の意図する実施には対応しないことを、強調しておく。
【００７５】
これまで説明した本発明の方法および装置は、本発明の要旨から逸脱することなく、変形することが可能である。
【００７６】
例えば、本体３６に、あるマークを記載し、プランジャー４２に、別のマークを記載し、スロット５６内で圧縮されている髪の太さを測定するよう、マークの間の距離を測定するのに、別個のノギスを使用することもできる。
【００７７】
また、大きいスプリング６２を省略し、毛髪の束１０に所定量の圧縮力を加えるのに、トルクレンチを用いて、ノブ４８を締め付けることができる。
【００７８】
ボス６０の代わりに、端部にアンビルを有する簡単な突起を使用し、この突起を、スロット５６に嵌合させることもできる。
内部にスロット５６を有する本体を備える、より簡単な装置を設け、一端にアンビル６８を有するピストンを設け、このピストンを、スロット５６内に嵌合させるように位置決めしてもよい。本体は、ピストンに対して移動でき、ピストンは、スロット５６の内外で移動できるようになっている。
【００７９】
アンビル６８が、スロット５６から外に移動するようにスプリングを圧縮するまで、アンビル６８を、スロット５６内に保持するように、スプリング４８のようなリターンスプリングを、本体およびピストンに設けることができる。
【００８０】
所望により、注射器のように、本体にサイドアームを設け、ピストンまたはプランジャーが往復動するか、またはノブ４４が回転する間の、本体のグリップを容易にすることもできる。
接着ラベルを用いる代わりに、定規、またはヘアクリップのような他の手段により、隔離されていない毛髪を、下方に保持することもできる。
【００８１】
ノギスは、機械式のものでもよいし、電気的／電子的なものでもよいし、本体またはプランジャーに取り付けてもよいし、装置３２と別個にしてもよい。
【００８２】
図１２には、束状の毛髪を集めるべき頭部上の領域をマークするためのマーキングテンプレート８０が示されている。このマーキング装置８０は、好ましくは２ｃｍ平方の正方形のプラットフォーム８２を有し、このプラットフォームは、コーナーに４つの吊り下げられたインクペン８４を有する。
【００８３】
マーキング装置８０を使用する際に、頭部上のあるゾーンに対する、顔の上のある場所から、頭部上のマークしたある場所までに、図示していない可撓性測定テープを用いて、まず測定を行う。図１９および２０を参照されたい。
【００８４】
一般に、測定テープに対するスタート場所は、鼻と上唇の間の接合部、すなわち鼻中骨の底部となる。実質的に同じ位置のマークで繰り返し測定を行うことができるように、頭部の位置のマークに対する正確な寸法を記録する。別の方法として、永久的または半永久的な皮膚の刺青を使用することもできる。
【００８５】
次に、マーカーテンプレート８０を用いて、頭部のあるゾーン内に、マークされた位置を使用する。この点に関し、まず、４つのペン８４をインクに浸漬する。次に、頭部に記載した位置マークに、中心ピン８６のスタイラス８８を位置決めする。次に、４つのインクペン８４が、図１３に示すように、頭部上の４つのインクマーク９１〜９４を示すことができるように、マーカーテンプレート８０を下げる。４つのマーク９１〜９４によって示され、それらの内部にある正方形領域から毛髪の束９４を隔離し、上へ集める。
【００８６】
図１４には、四角形のより大きい部品１０２と、四角形のより小さい部品１０４とを備えた２部品式カートリッジ１００が示されている。小さい方の四角形の部品１０４は、大きい方の部品１０２内の、四角形の横断面スロット１０６内にスライド可能にに構成されている。
【００８７】
小さい方の四角形の部品１０４は、内部に横方向スリット１０８を有し、この横方向スリット１０８は、大きい方の四角形の部品１０２内の横方向スリット１１０と協動する。横方向スリット１１０は、大きい方の四角形の部品１０２内のスロット１０６も横断している。
【００８８】
図１４に示すように、大きい方の四角形の部品１０２は、図１５〜１８の説明と組み合わせて後述するプランジャーのＬ字形またはＪ字形端部を受けるための、大きい方の四角形の部品１０２の３つの辺のまわりに延びるサイドスロット１１２を有していることが好ましい。これら部品１０２および１０４は、任意の材料から製造され、プラスチックで製造することが望ましい。
【００８９】
大きい方の部品１０２は、横方向スリット１１０の入口において、広がった壁１１４および１１６を有し、スリット１１０への毛髪９６の束９５の進入を容易にしている。スリット１０８および１１０、ならびにカートリッジ部品１０２および１０４は、大きい方の部品１０４内のスリット１０６内に、小さい方の部品１０２が進入するときに、嵌合スリット１０８および１１０内に、毛髪９６の束９５を捕捉するように製造され、配置されている。
【００９０】
スリット１０８および１１０の寸法は、変えることができるが、各スリット１０８および１１０の幅は、１ｍｍであることが好ましい。各スリット１０８および１１０の長さは、約７〜１２ｍｍとなっている。スリットの１ｍｍの幅により、スリット内に圧縮された毛髪の太さを、ゲージで読み取りできる簡単な数の値とされる。この値は、束の太さのみならず、ｍｍ平方を単位とする束の断面積ともなっている。
【００９１】
図１４に示すように、小さい方の部品は、少なくとも１つの側壁１２０（または反対の側壁）に、凹状ウィング、タブ、刺、またはディテント１１８を有し、このディテントは、スロット１０８とサイドスロット１１２との間の壁１２４内の孔１２２内に（もしくは、２つディテントに対しては、スロット１０６の壁内のそれぞれの対向する孔に）スナップ嵌合される。
【００９２】
当然ながら、例えばスプリング押圧されたボール、またはリテントと嵌合孔のような他の協動構造体も使用できる。ディテント１１８により、より小さい部品１０４は、スロット１０６内に押し込まれるだけでなく、ディテント１１８が孔１２２にスナップ嵌合するまで、スロット１０６から引き出される。
【００９３】
カートリッジの小さい方の部品、または大きい方の部品のいずれかは、スリットの口から約１０ｍｍ外側に延び、スリットの壁に平行となっている要素を有するようにできる。このような構造を使うと、毛髪を、スリットの口内に、更にスリットの内部に集め、かつ向けることを、容易に行うことができる。
【００９４】
図１５に示すように、スロット１６０内に小さい方の部品１０６をスライドさせ、毛髪９６の束９５を嵌合したスリット１０８と、１１０内に捕捉した状態で、図示された頭部領域から隔離された毛髪９６の束９５のまわりに、２つの部品１０２と１０４とを合体させる。
【００９５】
次に、図１６に示すように、装置３２に類似する測定機構、すなわち装置１３０を操作し、装置１３０の本体１３６を貫通するプランジャー１３４のＬ字形端部１３２を移動させ、カートリッジ１００の大きい方の部品１０２に係合、すなわち、大きい方の部品１０２内のサイドスロット１１２内に係合させる。
【００９６】
大きい方の部品１０２の周辺の３つの側面にあるスロット１１２により、毛髪の束のある測定と別の測定とで、毛髪９６の束９５上のオイル、または他の物質が相互に汚染されない理由は、カートリッジ１００を廃棄することができ、カートリッジ１００を、装置１３０および特にＬ字形端部１３２から完全に隔離できるからである。
【００９７】
ノブ１４６を解放すると、小さい方の部品１０４の外側端部１３８（図１４）は、装置１３０の本体１３５の第１端部、すなわち、内側端部１４０に隣接し、Ｌ字形端部１３２により外側端部１３８を押圧し、スリット１０８および１１０内の毛髪９６の束９５を圧縮する。
【００９８】
プランジャー１３４は、カラー１４４で設けられる本体１３６の第２端部、すなわち外側端部１４２からノブ１４６まで延びている。ノブ１４６まで延びているプランジャー１３４の外側部分１５０の上で、カラー１４４内の内側ショルダー（図示せず）とノブ１４６との間に、スプリング１４８が位置している。このノブ１４６は、本体１３６に向かって押され、スプリング１４８を圧縮し、Ｌ字形端部１３２まで延びる。
【００９９】
次に、毛髪９６の束９４がカートリッジ内に捕捉された状態で、Ｌ字形端部１３２に、カートリッジ１００を位置決めした後、カートリッジの２つの部品１０２と１０４とが互いに接近するように押され、図１７に示されているように、長さを変えることができる一致するスリット１０８および１１０内の毛髪９６の束９５を圧縮するように、ノブ１４６を解放する。
【０１００】
毛髪の束が内部に圧縮されているときの一致するスリット１０８および１１０の長さは、幅が１ｍｍの一定である状態で、１〜４ｍｍの範囲となる。この測定値は、装置１３０の本体１３６に固定された電子ゲージ１５２に示される。
【０１０１】
スプリング１４８および恐らくは本体１３６内の別のスプリングも、長さを変えることができる一致するスリット１０８および１１０内に捕捉された毛髪の束ですべての圧縮測定を行うために、一定の圧縮力を発生する。
【０１０２】
テストによれば測定は極めて正確であり、束状の４つの毛髪の差は３.３４〜３.３５の測定値となることが分かった。この測定値を、ＤＤＩ、すなわち、密度−直径インデックスと称し、この測定値は、束９５内のすべての毛髪の累積的密度および直径を示す。図示のテストでは、２.９８のＤＤＩが示された。
【０１０３】
装置１３０は、注射器のように、本体１３６の外側端部１４２に隣接するアーム、またはハンドル１３５および１５４の少なくとも２つの側面も有し、プランジャー１３４のＬ字形端部１３２を内外に移動できるように、注射器のように、装置１３０を握ることができるようになっていることが好ましい。
【０１０４】
測定を行った後、カートリッジ１００の内側の小さい方の部品１０４を、大きい方の部品１０４から若干引き出す。この引出しは、ディテント１１８が孔１２２に係合し、一致するスリット１０８および１１０の長さをわずかに長くし、よって、図１８に示すように、カートリッジを毛髪の束から容易に除去できるようになるまで続ける。
【０１０５】
次に、各カートリッジ１００を１回だけ使用するように、カートリッジ１００を廃棄することができるようになっている。これによって、毛髪のある測定から別の測定において、毛髪上のオイルまたは他の物質が相互に汚染することがなくなる。
【０１０６】
カートリッジ１００および装置１３０は、束状の毛髪を測定するための勘弁かつ効率的な構造体となっており、毛髪の束のＤＤＩを測定する方法を促進すると共に、頭部上の選択された特定ゾーンにおける毛髪束の正確な繰り返し測定を行うことを可能にする。当然ながら、他のゾーン１〜１０（図１１および図２０）内の毛髪も測定できる。
【０１０７】
装置３２、装置１３０、およびカートリッジ１００は、多数の利点を有し、そのうちの一部は、既に述べたものである。他の利点は、装置３２または１３０、カートリッジ１００およびＤＤＩを測定するための同じ装置、およびカートリッジ１００を使用する方法に固有のものである。
【０１０８】
したがって、本発明の範囲は、特許請求の範囲のみによって定めるべきものである。
【図面の簡単な説明】
【０１０９】
【図１】櫛がけ要素により、頭部の輪郭が表示された部分から、櫛がけされている毛髪の部分または束を示す、頭部の頂面図であり、接着ラベルにより輪郭が示された頭部の部分の１つの側面を示す。
【図２】頭部の輪郭が示された部分から、櫛がけされている毛髪の部分または束を示す、頭部の頂面図であり、接着ラベルにより、輪郭が示された頭部の部分の２つの側面を示す。
【図３】頭部の輪郭が示された部分から、櫛がけされている毛髪の部分または束を示す、頭部の頂面図であり、接着ラベルにより、輪郭が示された頭部の部分の３つの側面を示す。
【図４】頭部の輪郭が示された部分から、櫛がけされている毛髪の部分または束を示す、頭部の頂面図であり、接着ラベルにより輪郭が示された頭部の部分の４つの側面を示す。
【図５】櫛要素の平面図である。
【図６】毛髪の束の横断面の面積を測定するための、本発明の要旨に従って製造された装置、および図４に示された頭部の頂部平面図である。
【図７】Ｊ字形端部のスロット内にある毛髪の束の断面の面積を測定するために、装置の本体上のボスに向かって、装置のＪ字形端部が移動している状態の、図６に示された頭部の頂部平面図である。
【図８】Ｊ字形端部のスロット内に捕捉された毛髪の拡大部分図である。
【図９】図８の９〜９線に沿うＪ字形端部の断面図である。
【図１０】Ｊ字形端部が収容された装置の本体から延びるボスの断面図である。
【図１１】Ｊ字形端部のスロット内に毛髪の束がない装置の平面図であって、ボスの上をＪ字形端部が移動している状態を示し、装置の本体内の大きい圧縮スプリングを示すために破断されている図である。
【図１２】１つの中心位置決めピンと、テンプレートの各コーナーに１つずつ設けられた、計４つのインクマーカーペンを有するマーカーテンプレートの斜視図である。
【図１３】毛髪測定を行う頭部の１つのゾーン内の、頭部のマーキングされた部分の図である。
【図１４】図１３において、隔離された毛髪の束を測定するために、図１３に示された隔離された毛髪を捕捉するための、長さを変更できるスリットを有するカートリッジの２つの部分の分解図である。
【図１５】頭部から隔離された毛髪の束を捕捉する準備状態に分解されたカートリッジ部品を示すカートリッジの分解図である。
【図１６】装置の第１位端部と、Ｌ字形プランジャーの外側端部との間で、カートリッジ部品を押すよう、カートリッジの大きい方の部品と協動するＬ字形端部を備えたプランジャーを有する測定装置の斜視図である。
【図１７】装置の他の端部において、プランジャーの他端部にスプリングを作用させることにより、装置の第１端部に向かって移動されるＬ字形プランジャーによって、共に押されるカートリッジの部品の斜視図であり、長さを変更できるスリット内の圧縮された束状の毛髪の測定を示すとともに、カートリッジがどのようにＬ字形プランジャーを囲み、プランジャーを周辺の髪と接触しないように保護するかを示している。
【図１８】カートリッジの部品の間において、スリットから毛髪の束を容易に引き抜くことができるように、カートリッジの小さい方の部品が、大きい方の部品からわずかの距離移動した状態にあり、プランジャーが再び外側に移動され、カートリッジが毛髪の束から除去された状態にある装置の斜視図である。
【図１９】頭部上の番号のついた毛髪ゾーンを示すヘッドの側面図である。
【図２０】頭部上の番号のついた毛髪ゾーンを示すヘッドの平面図である。
【符号の説明】
【０１１０】
１０  毛髪
１２  頭部
１４  櫛要素
１６、１８、２０、２２  接着ラベル
２６  櫛歯領域
２８  櫛歯
３０  把手
３２  装置
３４  ノギス
３６  本体
３８  電子ディスプレイ
４０  アナログディスプレイ
４２  プランジャー
４３  カラー
４４  ノブ
４８  スプリング
５３  主要脚部
５４  フック脚部
６２  スプリング
【図１】
2007532263.tif 000003
【図２】
2007532263.tif 000004
【図３】
2007532263.tif 000005
【図４】
2007532263.tif 000006
【図５】
2007532263.tif 000007
【図６】
2007532263.tif 000008
【図７】
2007532263.tif 000009
【図８】
2007532263.tif 000010
【図９】
2007532263.tif 000011
【図１０】
2007532263.tif 000012
【図１１】
2007532263.tif 000013
【図１２】
2007532263.tif 000014
【図１３】
2007532263.tif 000015
【図１４】
2007532263.tif 000016
【図１５】
2007532263.tif 000017
【図１６】
2007532263.tif 000018
【図１７】
2007532263.tif 000019
【図１８】
2007532263.tif 000020
【図１９】
2007532263.tif 000021
【図２０】
2007532263.tif 000022
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
毛髪を支持する皮膚の所定領域を隔離し、この領域内のカットされていない毛髪の組み合わされた断面を測定する方法において、
あらかじめ測定されたサイトを定めるステップと、
このサイトからカットされていない毛髪の束、すなわち、コラムを隔離するステップと、
毛髪を収容するスロットを測定装置に設けるステップと、
カットされていない毛髪の束、すなわち、コラムを前記スロット内に入れるステップと、
スロット内に収容されているアンビルに対して、手で圧縮力を加えることなく、機械的な組立体を用いて、スロットの底部を移動させ、スロット内に入れられたカットされていない毛髪のサイズ可変の束に、所定の正確な値の圧縮力を加えるステップと、
スロット内に収容された、カットされていない毛髪の圧縮された束、すなわち、コラムの太さまたは質量を測定するステップと、
測定された毛髪の太さまたは質量と、頭部上の同一または異なる位置からのカットされていない毛髪の束、すなわち、コラムの他の毛髪の太さまたは質量の測定値とを比較するステップとを有する方法。
【請求項２】
前記頭部上のあらかじめ測定されたサイトは、約２ｃｍ×２ｃｍ平方である、請求項１記載の方法。
【請求項３】
前記スリットは、１ｍｍの幅×約７ｍｍ〜１２ｍｍの高さである、請求項１記載の方法。
【請求項４】
カートリッジの大きい方の部品内のスロット内に、カートリッジの小さい方の部品を進入させることにより、２部品式カートリッジの各部品内の一致するスリット内に、カットされていない毛髪の前記束を捕捉し、前記大きい方の部品内のスリットが前記スロットを横断し、前記スリット内のカットされていない毛髪の束を圧縮することにより、スリット内の毛髪の圧縮された束の太さ、およびミリ平方を単位とする毛髪の横断面の面積に等しい数字である、カットされていない毛髪の直径−密度インデックス（ＤＤＩ）と称される０〜５ｍｍの数値となるように、１ｍｍの幅を各スリットが有する、請求項１記載の方法。
【請求項５】
スリット内の毛髪の太さの測定を行った後、カートリッジの大きい方の部品から、小さい方の部品を短い距離だけ引出し、髪をカートリッジから容易に引くことができるようにし、次に、カートリッジを廃棄できるようにする、請求項４記載の方法。
【請求項６】
顔上の所定ポイントから、頭部の位置までの距離を測定することにより、前記あらかじめ測定したサイトを定める前記ステップを実行する、請求項１記載の方法。
【請求項７】
頭部から隔離された毛髪の束を測定するのに使用するための２部品式カートリッジであって、該カートリッジが頂部および底部、並びに４つの側面を結うし、１つの側面から第１部品内に進入する、断面が長方形のスロットを備えた、全体として四角形をした第１の大きい方の部品を備え、前記第１部品は、前記スロットを横断し、第１部分の頂部および底部を貫通し、第１部分の１つの側面から内側に延びる横方向第１スリットを有し、前記カートリッジは、更に第１部品内のスロットの断面と同じ形状およびサイズを有し、前記スロット内に嵌合するようになっている、全体として長方形の断面を有する第２の、より小さい四角形の部品を備え、前記第２部品は、内側端部および外側端部を有し、前記内側端部から第２部品を横方向に貫通する第２スリットを備え、この第２スリットは、前記第１スリットとほぼ同じ幅を有し、第１部品を前記第１部品内のスロットに挿入すると、前記第１部品内の第１スリットに嵌合するようになっている、２部品式カートリッジ。
【請求項８】
前記スリットは、１ｍｍの幅を有する、請求項７記載のカートリッジ。
【請求項９】
前記スリットは、約７ｍｍ〜１２ｍｍの長さを有する、請求項８記載のカートリッジ。
【請求項１０】
前記小さい方の第２部品の細長い側面、および前記第１部品内の前記スロットの壁は、前記第２部品を前記第１部品から部分的に引き出したときに、係合する協動可能なディテントおよびリセス構造体を有する、請求項７記載のカートリッジ。
【請求項１１】
前記第１部品は、この第１部品の他の３つの側面にサイドスロットを有し、このサイドスロットは、Ｌ字形アームを囲み、これを保護するための測定装置のＬ字形アームを収容するような構造および配置となっている、請求項７記載のカートリッジ。
【請求項１２】
頭部上の所定位置から隔離された毛髪の束の質量を測定するのに使用される装置であって、この装置は、第１端部および第２端部を有する本体と、前記本体の前記第１端部から延びるＬ字形端部を有し、前記第２端部から延びる外側部分を有すると共に、外側端部にノブを有し、前記本体の第１端部から延びるＬ字形端部を有するプランジャーと、前記プランジャーの外側部分の上において、前記ノブと前記本体との間に設けられたスプリングと、前記本体の第１端部に向かう前記Ｌ字形アームの運動を測定するための前記本体に設けられたゲージと、前記Ｌ字形アームが延びるときに、前記Ｌ字形アームに取り付けられるようになっており、長さを変えることができるスリットを内部に有する構造体とを備え、前記構造体は、前記長さを変えることができるスリット内に、毛髪の束を集めるように操作され、前記ノブは前記構造体を取り付けるように、前記Ｌ字形アームを延ばすように押され、次に、前記本体の前記第２端部と前記ノブとの間で作用する前記スプリングにより、前記Ｌ字形アームが前記構造体を前記本体の前記第１端部に向けて押し、よって、毛髪の束を、前記長さを変えることができるスリット内に圧縮するように前記ノブが解放され、前記長さを変えることができるスリット内の毛髪の束の太さを、前記本体上の前記ゲージにより測定する装置。
【請求項１３】
前記構造体は、２部品式カートリッジを備え、このカートリッジは、側面にスロットを有する第１の全体として長方形の、より大きい部品と、全体スロットに嵌合される第２の全体に長方形の、より小さい部品とを備え、前記第１部品は、前記スロットを貫通し、横断する第１スリットを有し、前記第２部品は、貫通する第２スリットを有すると共に、前記スロットに前記第２部品を挿入すると、前記第１部品内の前記第１スリットと嵌合するようになっており、前記第１および第２スリットは、前記長さを変えることができるスリットを形成かつ画定し、前記スプリングに対して前記ノブを押すことにより、前記本体からＬ字形アームが延びた後、Ｌ字形アームに前記第１部品を取り付け、前記第１部品および前記第２部品は、前記第２部品が前記第１部品に進入したときに、前記第１スリットおよび第２スリット内に進入する毛髪の束のまわりに位置決されるようになっている、請求項１２記載の装置。
【請求項１４】
毛髪を支持する皮膚のある領域を隔離し、この領域内のカットされていない毛髪の組み合わされた断面を測定する方法において、
頭部上にあらかじめ測定したサイトを定めるステップと、
前記サイトにある、カットされていない毛髪の標準化された束を隔離するステップと、
機械式組立体により、カットされていない毛髪の束の太さを測定しながら、同時に所定の精密な値の圧縮力により、カットされていない毛髪の束を圧縮するステップとを有する方法。
【請求項１５】
毛髪を支持する皮膚の、あらかじめ測定した領域からのカットされていない毛髪の束の断面の面積を測定するのに使用するための装置であって、
本体と、この本体を貫通し、前記本体の一端から出るプランジャーと、前記本体の一端において、アンビルを構成する壁表面と、前記プランジャーに所定の値の圧力を加えるための、前記本体に関連した圧縮スプリングとを備え、前記プランジャーは、前記壁表面を貫通すると共に、前記壁表面を貫通する主要脚部部分およびフック脚部によって構成されたＪ字形端部を有し、前記２つの脚部は、両者の間に毛髪を収容するスロットを構成し、前記スロット内に収容された毛髪は、前記スロットの底部と前記アンビルとの間に圧縮されるようになっており、更に、毛髪の束を圧縮したときに、前記プランジャーの移動の大きさを測定するよう、前記本体および前記プランジャーに連動する測定手段を備える装置。
【請求項１６】
前記測定手段は、前記プランジャーの前記Ｊ字形端部が前記スロット内のカットされていない毛髪の束と共に前記アンビルに向かって移動するときに、前記スロット内の圧縮されたカットされていない毛髪の太さを示すための視覚的なディスプレイを備える、一体的または別個の電子ノギスを含む、請求項１５記載の装置。
【請求項１７】
前記測定手段は、前記プランジャーのＪ字形端部が、前記スロット内のカットされていない毛髪の束と共に前記アンビルに向かって移動するときの、前記スロット内の圧縮された毛髪の太さを示すためのスケール、ゲージまたはアナログディスプレイを含む、請求項１５記載の装置。
【請求項１８】
毛髪を支持する皮膚の、あらかじめ測定した領域からのカットされていない毛髪の束の横断面の面積を測定するのに使用するための装置であって、
カットされていない毛髪の束を収容するためのスロットと、前記アンビルと前記スロットとが相対的に移動するときに、前記スロット内に嵌合されるようになっている前記スロットに隣接するアンビルと、所定の正確な値の圧縮力でカットされていない毛髪の束を圧縮するための、前記スロットまたはアンビルのうちの１つと連動する機械式組立体とを備え、前記機械式組立体は、前記スロット内に入れられたカットされていない毛髪のサイズを変えることができる束に、所定の正確な値の圧縮力と等しい値を加えるように、機械的に制限されている装置。
【請求項１９】
前記スロット内にカットされていない毛髪の束が収容され、前記スロット内で圧縮されるときの、前記スロットの底部とアンビルとの間の移動量を測定または示すための、別個または一体的な装置を含む、請求項１８記載の装置。
【請求項２０】
前記機構は、前記スロット内に入れられたカットされていない毛髪の束に、所定の値の圧縮力を加えるための、前記本体またはアンビルのうちの１つに連動するスプリングを有する、請求項１８記載の装置。
【請求項２１】
前記スロットは、１ｍｍの幅を有する、請求項１８記載の装置。
【請求項２２】
毛髪を支持する皮膚の所定領域を隔離し、この領域内のカットされていない毛髪の組み合わされた断面を測定する方法において、
あらかじめ測定されたサイトを定めるステップと、
このサイトからカットされていない毛髪の束、すなわち、コラムを隔離するステップと、
隔離されていない毛髪を固定するよう、毛髪拘束要素をサイトに隣接するように、周辺に位置決めするステップと、
毛髪を収容するスロットを測定装置に設けるステップと、
カットされていない毛髪の束、すなわち、コラムを前記スロット内に入れるステップと、
装置のアンビルに対して、スロットの底部を移動し、スロット内に入れられたカットされていない毛髪のサイズ可変の束に、所定の正確な値の圧縮力を加えるステップと、
スロット内に収容された、カットされていない毛髪の圧縮された束、すなわち、コラムの太さまたは質量を測定するステップと、
測定された毛髪の太さまたは質量と、頭部上の同一または異なる位置からのカットされていない毛髪の束、すなわち、コラムの他の毛髪測定値の太さまたは質量とを比較するステップとを有する方法。
【請求項２３】
前記毛髪を拘束する要素は、較正された接着要素であり、この要素を隔離されていない毛髪に当接させる、請求項２２記載の方法。
【請求項２４】
頭部上のある位置から隔離された、カットされていない毛髪の束の断面の面積を測定または示すのに使用するための２部品式カートリッジであって、このカートリッジの一方の部分にアンビル部分を設け、このアンビルに対し、カートリッジの他方の部分内のスロットの底部が、別個の機構により圧縮されるようになっている、２部品式カートリッジ。
【請求項２５】
前記アンビル部分と前記スロットの前記底部との間において、前記スロット内に収容されたカットされていない毛髪の束を圧縮するための機構と組み合わされた、請求項２４記載のカートリッジ。
【請求項２６】
前記スロット内に、カットされていない毛髪の束が収容され、前記スロット内で圧縮されるときに、前記スロットの底部と、前記アンビルとの間の運動量を測定または示すための装置と組み合わされた、請求項２４記載のカートリッジ。
【請求項２７】
前記スロットの底部および前記アンビルが、前記スロット内のカットされていない毛髪の束と共に互いに接近する時に、前記スロット内の圧縮された、カットされていない毛髪の太さを示すための、前記カートリッジと共に使用するための視覚的なディスプレイを有する一体的、または別個の測定用ノギスと組み合わされた、請求項２４記載のカートリッジ。
【国際調査報告】
2007532263.tif 000023